(57)【特許請求の範囲】
【請求項１】
棚板固定具（４）であって、
垂直方向縦長の本体部（４１）と、前記本体部の前方に設けられたスリット挿入部（４２）と、前記本体部の脚部（４３）を有し、
前記スリット挿入部（４２）は、前記本体部（４１）に対して一定角度で傾斜しており、
前記脚部（４３）の最下面は、傾斜部（４７）と水平部（４８）を有しており、
前記スリット挿入部（４２）の傾斜と前記脚部（４３）の傾斜部（４７）の傾斜が反対方向であることを特徴とする棚板固定具（４）。
【請求項２】
前記スリット挿入部（４２）の傾斜角度と前記脚部（４３）の傾斜部（４７）の傾斜角度が互いに反対方向にそれぞれ１５度〜２５度である請求項１記載の棚板固定具。
【請求項３】
前記脚部（４３）の最下面の傾斜部（４７）と水平部（４８）の間に突起（４９）を設けた請求項１または２記載の棚板固定具。
【請求項４】
前記本体部（４１）に補強部（４４）を設けた請求項１〜３のいずれかに記載の棚板固定具。
【請求項５】
前記脚部に貫通孔（４６）を設けた請求項１〜４のいずれかに記載の棚板固定具。
【発明の詳細な説明】
【技術分野】
【０００１】
本発明は、書棚や陳列棚などの棚板が外れたり、傾いたり、がたついたりしないように固定する棚板固定具に関する。
【背景技術】
【０００２】
本発明で使用する棚板は、支柱表面に設けられたスリットに、棚板を支持するためのブラケットの後部フックを差し込んで固定するタイプのものである。この種の棚板は支柱のスリットとブラケットの後部フックの係合に余裕があるため、外れたり、がたついたり、傾いたりすることがある。
【０００３】
この問題を解決するため、例えば特開２００８―１３６５３６では、棚板を押圧する押さえ金具を提案している。この押さえ金具は、スリット内に挿入される鉤部と、基部と、この基部に対して上下移動可能に設けられた抑え部とからなる。前記鉤部は、先端部からその根元部までテーパー状に形成され、前記先端部が根元部より基部側へ突出し、支持部材と抑え部とにより棚板を挟み込んでいる。
【０００４】
別の技術として、棚板を直接的に固定強化するのではなく、ブラケットの固定を強化することにより間接的に棚板の固定を強化することもよく行われている。例えば、特開２００７―２０７４２では、スリット側に突出して形成され、前記スリットと係止フック間の間隙に嵌め込まれる突出リブと、上部に設けられ前記スリットと係止フックとの上部の隙間に嵌め込まれる突出片と、先端部に設けられた摘み部と、を有する揺れ止め部材を設けている。
【先行技術文献】
【特許文献】
【０００５】
【特許文献１】特開２００８―１３６５３６
【特許文献２】特開２００７―２０７４２
【発明の概要】
【発明が解決しようとする課題】
【０００６】
前記従来発明はいずれも所期の目的を達成することができるが、複数の部品を用いるので製造コストが高価なものとなりがちである。この種の固定具は多数必要となるため、なるべく安価でしかも耐久性があって取り付けやすいことが求められる。本発明はそのような要請に応えることを目的としている。
【課題を解決するための手段】
【０００７】
本発明の棚板固定具４は、垂直方向縦長の本体部４１と、前記本体部の前方に設けられたスリット挿入部４２と、前記本体部の脚部４３を有し、前記スリット挿入部４２は、前記本体部４１に対して一定角度で傾斜しており、前記脚部４３の最下面は、傾斜部４７と水平部４８を有しており、前記スリット挿入部４２の傾斜と前記脚部４３の傾斜部４７の傾斜が反対方向であることを特徴とする（請求項１）。
【０００８】
好ましくは、前記スリット挿入部４２の傾斜角度と前記脚部４３の傾斜部４７の傾斜角度が互いに反対方向にそれぞれ１５度〜２５度である（請求項２）。
【０００９】
好ましくは、前記脚部４３の最下面の傾斜部４７と水平部４８の間に突起４９を設ける（請求項３）。
【００１０】
好ましくは、前記本体部に補強部４４を設ける（請求項４）。
【００１１】
好ましくは、前記脚部に貫通孔４６を設ける（請求項５）。
【発明の効果】
【００１２】
請求項１の棚板固定具によれば、スリット挿入部４２を支柱１のスリット１１に挿入し、本体部４１を握ってひねりを加えると、脚部４３は傾斜部４７に沿って、棚板２上をスライドする。さらにひねりを加えると、脚部４３は傾斜部４７を通り過ぎて水平部４８に達し、本体部４１が垂直位置にくる。この作業を終えると、棚板２はブラケット３と固定具４に挟まれて強固に固定される。
【００１３】
請求項２の棚板固定具によれば、ひねり角度が適切なものとなり、作業のしやすさと固定状態の安定度が増す。
【００１４】
請求項３の棚板固定具によれば、この突起が分水嶺となり、作業者に力の配分を知らせる役目を果たす。
【００１５】
請求項４と５によれば、本体部や脚部の強化が図られる。
【００１６】
以下、添付の図面に基づき、本発明の１実施例を説明する。
【図面の簡単な説明】
【００１７】
【図１】本実施例の棚板固定具を棚に取り付けようとしてする状態を示す斜視図である。
【図２】同棚板固定具の斜視図であり、右用のものを示している。
【図３】同棚板固定具の斜視図であり、左用のものを示している。
【図４】右用棚板固定具の、（ａ）平面図、（ｂ）底面図、（ｃ）背面図、（ｄ）右側面図、（ｅ）正面図、（ｆ）左側面図である。
【図５】同棚板固定具の固定方法を段階的に示す正面図である。
【図６】同棚板固定具を固定した状態を示す側面図である。
【発明を実施するための形態】
【００１８】
図１に示すように、書棚や陳列棚などにおける支柱１表面に設けられた縦方向のスリット１１に、棚板２を支持するためのブラケット３の後部フック３１が差し込まれる。棚板２上の書籍や陳列物の重みのために棚板２が傾いたり外れたりしないようにするために、本実施例の棚板固定具４が用いられている。
【００１９】
棚板固定具４，４Ａの外観は図２、図３、図４に示すようなものであり、図２、図４は右用、図３は左用のものである。左右２種類が用意されている理由は、ブラケット３の取り付けのためには、後に詳述するように、作業者が握ってひねりを加える必要があるのであるが、１種類だけだと、一方に壁などがあってそれが邪魔をしてひねり作業ができなくなることがあるためである。
【００２０】
以下では右用の棚板固定具４についてのみ説明を行う。左用の固定具４Ａを示す図３では、図２と同一の要素には同一の符号の後に「Ａ」をつけることにより、詳細な説明を省略している。両者の相違点は、スリット挿入部４２の傾斜方向及び脚部４３は傾斜部４７の傾斜方向が左右固定具では反対になることである。
【００２１】
棚板固定具４は全体を硬質合成樹脂で一体成形することが好ましい。硬質樹脂としては、例えば、スチレン系ポリマー、ポリアミド、ポリカーボネート、ポリプロピレン、硬質の熱可塑性エラストマー（例えばスチレン系エラストマー、オレフィン系エラストマー、ポリエステル系エラストマー）などの硬質で強靭な樹脂があげられる。特にナイロンが好ましい。
【００２２】
棚板固定具４は、図４に示すように、垂直方向縦長の本体部４１と、本体部の前方上部に設けられたスリット挿入部４２と、本体部の脚部４３と、本体部の左右前方に位置し、本体部と直角方向に延びる板状補強部４４を有する。
【００２３】
本体部４１は、スリット挿入部４２を支持する頭部４５を有する板状部材で、脚部４３及び補強部４４とつながっている。側面（ｄ）から見ると、後ろ側上部が削られて傾斜している。
【００２４】
スリット挿入部４２は、支柱１のスリット１１に挿入可能な長さと幅を有し、本体部に対して一定角度で傾斜している。傾斜角度は１５度〜２５度が好ましく、約２０度が最も好ましい。
【００２５】
本体部の脚部４３は、補強部４４の脚部４３ともなっており、補強部４４と同じ幅を有する。脚部４３には貫通孔４６が設けられているが、これは弾力性を向上させるためのものである。脚部の最下面は正面図（ｅ）から見て右半分が傾斜部４７、左半分が水平部４８となっている。傾斜方向はスリット挿入部の傾斜と反対方向である。傾斜角度は１５度〜２５度が好ましく、約２０度が最も好ましい。傾斜部と水平部の境界には小さな突起４９を設けることが好ましい。
【００２６】
この棚板固定具４の取付方法を図５（ａ）〜（ｅ）に基づいて説明する。支柱１に対してブラケット３及び棚板２がすでに取り付けられているものとする。ブラケット３には棚板取付用のネジ穴３２があり、これにより棚板２とブラケット３はしっかりと固定される。
【００２７】
（ａ）スリット挿入部４２を支柱１のスリット１１に挿入する。このスリットはブラケット３を取り付けるのに使用したスリット１１の１つ上のものである。
【００２８】
（ｂ）スリット挿入部４２を持ち上げ気味にしてスリット１１の最高位置まで上げる。
【００２９】
（ｃ）本体部４１を握り右方向にひねりを加える。脚部４３は傾斜部４７に沿って、棚板２上をスライドする。
【００３０】
（ｄ）さらにひねりを加えると、脚部４３は傾斜部４７を通り過ぎて突起４９も乗り越える。
【００３１】
（ｅ）本体部４１が垂直位置にくると、脚部４３は完全に水平部４８が棚板２上に位置する。このときスリット挿入部４２は左側に傾くが、支柱１１内の見えないところであるから美観を害することはない。
【００３２】
この作業を終えると、固定具４はブラケット３に対して棚板２を確実に押圧するので、棚板２は外れたり、がたついたり、傾いたりすることはなくなる。
【００３３】
固定具４を外すときには、逆方向にひねり、スリット１１からスリット挿入部４２を取り出せばよい。
【符号の説明】
【００３４】
１     支柱
１１   スリット
２     棚板
３     ブラケット
３１   後部フック
４，４Ａ      棚板固定具
４１，４１Ａ  本体部
４２，４２Ａ  スリット挿入部
４３，４３Ａ  脚部
４４，４４Ａ  補強部
４５，４５Ａ  頭部
４６，４６Ａ  貫通孔
４７   傾斜部
４８   水平部
４９   突起
【図１】
0006320320.tif 000002
【図２】
0006320320.tif 000003
【図３】
0006320320.tif 000004
【図４】
0006320320.tif 000005
【図５】
0006320320.tif 000006
【図６】
0006320320.tif 000007